【事件の表示】
　上記当事者間の登録第４０２５８８１号商標の商標登録無効審判事件について、次のとおり審決する。
【結　論】
　登録第４０２５８８１号の登録を無効とする。
　審判費用は被請求人の負担とする。
【理　由】
１　本件商標
　本件登録第４０２５８８１号商標（以下「本件商標」という。）は、平成７年６月１５日に登録出願され、別掲のとおりの構成よりなり、第２７類「洗い場用マット，壁紙」を指定商品として、同９年７月１１日に設定登録されたものである。
　
２　請求人の引用する登録商標
　請求人は、本件商標の登録無効の理由として下記の登録商標を引用しており、いずれも現に有効に存続している。
（ア）昭和４９年８月２０日に登録出願され、「ＶＡＬＥＮＴＩＮＯ」の文字と「ヴァレンティノ」の文字とを二段に横書きしてなり、第１９類「台所用品（電気機械器具、手動利器及び手動工具に属するものを除く）日用品（他の類に属するものを除く）」を指定商品として、同５２年１０月１２日に設定登録された登録第１３０４７９２号商標（以下「引用Ａ商標」という。）
（イ）昭和４９年１０月１日に登録出願され、「ＶＡＬＥＮＴＩＮＯ　ＧＡＲＡＶＡＮＩ」の文字を横書きしてなり、第１９類「台所用品（電気機械器具、手動利器及び手動工具に属するものを除く）日用品（他の類に属するものを除く）」を指定商品として、同５２年６月１４日に設定登録された登録第１２７６２９１号商標（以下「引用Ｂ商標」という。）
（ウ）昭和４９年８月２０日に登録出願され、「ＶＡＬＥＮＴＩＮＯ」の文字と「ヴァレンティノ」の文字とを二段に横書きしてなり、第２５類「紙類、文房具類」を指定商品として、同５２年１２月９日に設定登録された登録第１３１５８７７号商標（以下「引用Ｃ商標」という。）
（エ）昭和５８年１２月８日に登録出願され、「ＶＡＬＥＮＴＩＮＯ　ＧＡＲＡＶＡＮＩ」の文字を横書きしてなり、第２５類「紙類、文房具類」を指定商品として、平成１年４月２８日に設定登録された登録第２１２８５８０号商標（以下「引用Ｄ商標」という。）
（オ）昭和４３年６月５日に登録出願され、「ＶＡＬＥＮＴＩＮＯ」の文字を横書きしてなり、第１７類「被服（運動用特殊被服を除く）布製身回品（他の類に属するものを除く）寝具類（寝台を除く）」を指定商品として、同４５年４月８日に設定登録された登録第８５２０７１号商標（以下「引用Ｅ商標」という。）
（カ）昭和４９年１０月１日に登録出願され、「ＶＡＬＥＮＴＩＮＯ　ＧＡＲＡＶＡＮＩ」の文字を横書きしてなり、第１７類「被服（運動用特殊被服を除く）布製身回品（他の類に属するものを除く）寝具類（寝台を除く）」を指定商品として、同５５年４月３０日に設定登録された登録第１４１５３１４号商標（以下「引用Ｆ商標」という。）
　
３　請求人の主張
　請求人は、結論同旨の審決を求めると申し立て、その理由を次のとおり述べ、証拠方法として甲第１号証ないし同第６２号証（枝番号を含む。）を提出した。
（１）商標法第４条第１項第８号について
　審判請求人は、イタリアの服飾デザイナー「ＶＡＬＥＮＴＩＮＯ　ＧＡＲＡＶＡＮＩ」（ヴァレンティノ・ガラヴァー二）氏の同意を得て、同氏のデザインに係る各種の商品を製作、販売しており、「ＶＡＬＥＮＴＩＮＯ　ＧＡＲＡＶＡＮＩ」あるいは「ＶＡＬＥＮＴＩＮＯ」の欧文字からなるそれぞれの商標を各種商品について使用している者であるところ、上記の「ＶＡＬＥＮＴＩＮＯ　ＧＡＲＡＹＡＮＩ」（ヴァレンティノ・ガラヴァー二）氏の氏名は単に「ＶＡＬＥＮＴＩＮＯ」「ヴァレンティノ」と略称されており、この略称も本件商標の登録出願の日前より著名なものとなっているところである。
　すなわち、「ＶＡＬＥＮＴＩＮＯ　ＧＡＲＡＶＡＮＩ」（ヴァレンティノ・ガラヴァー二）は、１９３２年イタリア国ボグヘラで誕生、１７歳の時パリに行き「パリ洋裁学院」でデザインの勉強を開始し、その後フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（Ｆａｓｈｉｏｎ　Ｏｓｃａｒ）を受賞し、ライフ誌、ニューヨークタイムズ誌、ニューズウィーク誌など著名な新聞、雑誌に同氏の作品が掲載された。これ以来同氏は、イタリア・ファッションの第１人者としての地位を確立し、フランスのサンローランなどと並んで世界三大デザイナーとして知られている。この「ファッションオスカー」は無彩色である白を基調にまとめた「白のコレクション」に与えられたものである。その後も同氏の作品は無地の服を得意とし、大胆な「白」と「素材」を特徴とし、その服飾品は芸術に値すると賞賛されており、その顧客にはレオーネ・イタリア大統領夫人、グレース・モナコ王妃、エリザベス・テーラー、オードリー・ヘップバーンなどの著名人も多い。同氏のデザイン活動は婦人用、紳士用衣服を中心にネクタイ・シャツ・ハンカチ・マフラー・ショール・ブラウスなどの衣料用小物、バンド・ベルト・ネックレス・ペンダントなどの装身具、バッグ・さいふ・名刺入れその他のかばん類、その他サングラス、傘、スリッパなどの小物からインテリア装飾にも及んでいる。
　我が国においても、ヴァレンティノ・ガラヴァー二の名前は、１９６７年（昭和４２年）のファッションオスカー受賞以来知られるようになり、その作品はＶｏｇｕｅ（ヴォーグ）誌などにより継続的に日本国内にも紹介されている。昭和４９年には三井物産株式会社（千代田区大手町１ー２ー１）の出資により同氏の日本及び極東地区総代理店として株式会社ヴァレンティノヴティックジャパンが設立され、ヴァレンティノ製品を輸入、販売するに至り、同氏の作品は我が国のファッション雑誌にも数多く掲載されるようになり、同氏は我が国においても著名なデザイナーとして一層注目されるに至っている。
　以上のとおり、ヴァレンティノ・ガラヴァーニは世界のトップデザイナーとして本件商標が出願された当時には、既に我が国においても著名であった。同氏の名前は「ＶＡＬＥＮＴＩＮＯ　ＧＡＲＡＶＡＮＩ」「ヴァレンティノ・ガラヴァーニ」とフルネームをもって紹介されることが多いが、同時に新聞、雑誌の記事や見出し中には、単に「ＶＡＬＥＮＴＩＮＯ」「ヴァレンティノ」と略称されてとりあげられたことの多いことは甲第７号証の１ないし同第７号証の３２及び同第８号証、同第９号証及び同第１０号証（審決謄本写し）をはじめとして、甲第１３号証の２、同第１５号証の２、同第１５号証の３、同第１６号証の２、同第２２号証の２、同第２５号証の３、同第３０号証の２、同第３０号証の３、同第３０号証の５、同第４８号証（報知新聞）によっても明らかである。
　しかるところ、本件商標は、その構成が甲第１号証の１に示すとおりのものであって、大きく二段に横書きされた「Ｖａｌｅｎｔｉｎｏ」「Ｃｏｕｐｅａｕ」の文字の上段部分である「Ｖａｌｅｎｔｉｎｏ」の文字が「ヴァレンティノ」と称呼されるものであることは明らかであるから、本件商標は、「ＶＡＬＥＮＴＩＮＯ　ＧＡＲＡＶＡＮＩ」（ヴァレンティノ・ガラヴァー二）氏の氏名の著名な略称を含む商標であり、その者（他人）の承諾を得ずに登録出願されたことは明らかである。
　したがって、本件商標の登録は、商標法第４条第１項第８号の規定に違反してなされたものであるから無効とされるべきである。
（２）商標法第４条第１項１１号について
　本件商標と引用Ａ、Ｂ、Ｃ、Ｄ商標とを比較検討するに、本件商標は、その構成が甲第１号証の１に示すとおりのものであって、「Ｖａｌｅｎｔｉｎｏ　Ｃｏｕｐｅａｕ」の欧文字は、全体が一つの語として知られているものではなく、その全体を称呼するときは「ヴァレンティノクーポー」の９音にも及ぶ冗長なものとなるばかりでなく「Ｖａｌｅｎｔｉｎｏ」の文字と「Ｃｏｕｐｅａｕ」の文字とが上下二段に表示されていることもあって、「ヴァレンティノ」と「クーポー」とがそれぞれ段落をもって称呼されるものであり、しかも、上記のデザイナー「ＶＡＬＥＮＴＩＮＯ　ＧＡＲＡＶＡＮＩ」（ヴァレンティノ・ガラヴァー二）氏の氏名が「ＶＡＬＥＮＴＩＮＯ」（ヴァレンティノ）と略称されて著名なものとなっていることとも相俟って、これに接する取引者、需要者に親しまれている「ＶＡＬＥＮＴＩＮＯ」の文字に相当する「ヴァレンティノ」の称呼をもって、取引に当たる場合が決して少なくないものとみるのが簡易迅速を尊ぶ取引の経験則に照らして極めて自然である。
　したがって、本件商標は、「ヴァレンティノ」の称呼をも生ずるものといわざるを得ない。
　一方、引用商標は、引用Ａ商標ないし引用Ｄ商標が何れもその指定商品に使用された結果、全世界に著名なものとなっていることは甲第９号証及び甲第１０号証（審決謄本写し）をはじめとして、同第６２号証までの書証によっても明らかなところであって、引用Ａ商標及び引用Ｃ商標は、「ＶＡＬＥＮＴＩＮＯ」「ヴァレンティノ」の文字よりなるものであり、その構成上「ヴァレンティノ」の称呼を生ずるものであることは明らかである。
　また、引用Ｂ商標及び引用Ｄ商標は「ＶＡＬＥＮＴＩＮＯ　ＧＡＲＡＶＡＮＩ」の文字を書してなるものであるところ、その全体を称呼するときは「ヴァレンティノガラヴァ一二」の称呼を生ずるが、この称呼は冗長なものであるので、上記デザイナー「ＶＡＬＥＮＴＩＮＯ　ＧＡＲＡＶＡＮＩ」（ヴァレンティノ・ガラヴァー二）氏の氏名が「ＶＡＬＥＮＴＩＮＯ」（ヴァレンティノ）と略称されて著名なものとなっていることとも相挨って、引用Ｂ商標及び引用Ｄ商標は、その構成文字中、前半の「ＶＡＬＥＮＴＩＮＯ」の文字に相応する「ヴァレンティノ」の称呼をもって取引に資されている場合も決して少なくないのが実情である。すなわち、引用Ｂ商標及び引用Ｄ商標は、何れも「ヴァレンティノ」の称呼をも生ずるものであるといわざるを得ない。
　してみると、本件商標は、引用Ａ商標ないし引用Ｄ商標と「ヴァレンティノ」の称呼を共通にする類似の商標であり、また、本件商標の指定商品は各引用商標のそれと抵触するものであることは明らかである。
（３）商標法第４条第１項第１５号について
　審判請求人は、上記の引用Ａ商標ないし引用Ｄ商標の指定商品以外の商品についても、引用Ｅ商標及び引用Ｆ商標をはじめ多数の登録商標を使用している。
　しかして、審判請求人提出の甲第９号証及び同第１０号証（審決謄本写し）ないし同第６２号証によって、引用Ｅ商標は、婦人服、紳士服、ネクタイ等の被服について使用されていること、各引用商標も本件商標の登録出願の日前より全世界に著名なものとなっていることは、明らかである。
　そして、本件商標と引用Ａ商標ないし引用Ｄ商標がその称呼を共通にする類似する商標であることは上述のとおりであるから、同様の理由により、本件商標と引用Ｅ商標及び引用Ｆ商標とは、類似する商標である。また、本件商標の指定商品と各引用商標が使用されている上記の商品は、何れも日用品や服飾品の範疇に属する密接な関係にある商品である。
　したがって、本件商標は、これを商標権者がその指定商品に使用した場合、その商品があたかも審判請求人の製造、販売等の業務に係る商品であるか又は同人と経済的若しくは組織的に何らかの関係にある者、すなわち姉妹会社等の関係にある者の業務に係る商品であるかの如く、その出所について混同を生ぜしめるおそれがあるものである。
　
４　被請求人の答弁
　被請求人は、「本件審判の請求は成り立たない。審判費用は審判請求人の負担とする。との審決を求める。」と答弁し、その理由を次のように述べ、証拠方法として乙第１号証ないし同第２０号証（枝番号を含む。）を提出した。
（１）著名性に対する反論
（ア）まず、甲第２号証の１、２ないし甲第６号証は、引用Ａ商標ないし引用Ｆ商標を掲載した商標公報であって、これを以てしては商標公報に掲載された引用商標であるＶＡＬＥＮＴＩＮＯ　ＧＡＲＡＶＡＮＩ並びにＶＡＬＥＮＴＩＮＯの商標が著名であるとすることはできない。
（イ）審判請求人は、甲第８号証の１、２ないし甲第１２号証の１〜４を以て、引用商標であるＶＡＬＥＮＴＩＮＯ　ＧＡＲＡＶＡＮＩの著名性、並びに、ＶＡＬＥＮＴＩＮＯの文字が著名であると言うＶＡＬＥＮＴＩＮＯ　ＧＡＲＡＶＡＮＩの著名な略称でもあることを立証しようとしているが、前記書証を以て、前記事項を立証することはできない。
　なぜなら、（ａ）Ｖａｌｅｎｔｉｎｏの名称はイタリアでは男子の名を表す名称としてよく使われている名称である。これを明らかにするため乙第１号証に示す辞典を提出する。また、（ｂ）ＶＡＬＥＮＴＩＮＯ　ＧＡＲＡＶＡＮＩの表示中のＶＡＬＥＮＴＩＮＯの表示は著名な略称であるとする前記甲第８号証の１、２ないし甲第１２号証の１〜４に示す書証に示された判断に反し、ＶＡＬＥＮＴＩＮＯの綴りが前記乙第１号証に示す辞典に記載された通り男子の氏名としてよく使われる名称であるとの判断を示した決定、審決がある。これを乙第２号証、同第３号証、同第４号証として提出する。
（ウ）また、甲第７号証、並びに甲第１３号証の１、２以下甲第６２号証に示す書証を以て前記引用商標、並びに、前記引用商標の略称、及びＶＡＬＥＮＴＩＮＯ　ＧＡＲＡＶＡＮＩの名称、並びに、その略称であるとするＶＡＬＥＮＴＩＮＯの名称の著名性を立証しようとしているが、前記書証の大半は、発行所が明らかでなく前記書証が刊行物として真正に成立した文書であるかどうかわからない。それだけでなく、前記書証が頒布されたものであるかどうか明らかでない。また、仮に前記書証が刊行物として頒布されたとしても、それは、ＶＡＬＥＮＴＩＮＯ　ＧＡＲＡＶＡＮＩの表示、並びにその略称であるとするＶＡＬＥＮＴＩＮＯの表示が多くの刊行物に掲載して頒布されたと言うだけのことである。その頒布を以てそれが直ちに前記表示が著名性獲得に結びつくとは限らない。これが著名になったと言うためには、多くの刊行物に掲載して頒布されたと言う事実だけでなく、これとは別な立証手段が必要である。
（エ）本件では、引用商標がどのような手段を講じて著名商標としたとの主張、立証もない。従って、引用商標、並びに引用商標の略称であるＶＡＬＥＮＴＩＮＯの文字が著名であるとの審判請求人の主張は成り立たない。
（２）ＶＡＬＥＮＴＩＮＯ　ＧＡＲＡＶＡＮＩ或は、その略称であるとするＶＡＬＥＮＴＩＮＯの表示の著名性について
（ア）本件商標は、商標審査の専門家である権威のある審査官が、本件商標の登録の可否を判断するに当って、職務上当然（ａ）イタリアの服飾デザイナーである著名なヴァレンティノ・ガラバー二氏の存在を知った上で、且つ、同人の氏名の綴りから成っているＶＡＬＥＮＴＩＮＯ　ＧＡＲＡＶＡＮＩ、並びに、その略称であると審判請求人の主張するＶＡＬＥＮＴＩＮＯの登録商標があることを知った上で、また、これまで同人の氏名の綴りから成る登録商標の著名性を主張、立証して審判申立をし、或は、異議申立がなされた件について、その審判申立、或は、異議申立を排斥した乙第２、３、４号証に示す審決、決定があったことを知った上で、並びに、前記ヴァレンティノ・ガラバー二氏以外の者から、前記商標の存在を前提として出願されたＶＡＬＥＮＴＩＮＯを配した商標が登録されていることなどを知った上で、これらの事情を勘案して慎重な審査を行い、（ｂ）本件商標を登録しても、本件商標が先登録の登録商標とは外観、称呼、観念の同一性、類似性がなく、また、本件商標を指定商品に使用してもこれらの既存の登録商標の指定商品と同一、或は類似することがないとして、誤認、混同の虞れなしと判断して登録された権利である。
（イ）本件商標の登録を無効にしようとする審判請求人の本件申立は、権威のある審査官が行った本件商標の権利設定の処分を覆すものである。即ち、審判請求人の本件申立は、一度有効に成立した本件商標の権利設定処分に反して、本件商標の法的安定性を覆そうとしている行為である。そうすると、そのため提出する証拠は、いわゆる真正に成立した証拠であって、且つ、いわゆる厳格な証拠でなければならない。（ａ）審判請求人が、前記審判官の判断を誤りとして本件商標の登録を無効にするため、ＶＡＬＥＮＴＩＮＯ　ＧＡＲＡＶＡＮＩの標章が著名の標章であること、並びに、その商標を構成するＶＡＬＥＮＴＩＮＯの標章がＶＡＬＥＮＴＩＮＯ　ＧＡＲＡＶＡＮＩの著名な略称の標章であることを証明するためであろうが、甲第７号証〜甲第６２号証にわたる多数の書証を提出している。（ｂ）しかし、これらの書証の中の甲第８号証〜甲第１２号証を除き、甲第７号証、並に甲第１３号証〜甲第６２号証の中の二、三を除いては発行所は明記されていない。即ち、これらの書証の多くは成立の真正を立証する証拠はない。（ｃ）そうすると、これらの多くの書証は、ただ単にＶＡＬＥＮＴＩＮＯ　ＧＡＲＡＶＡＮＩ並びにＶＡＬＥＮＴＩＮＯの表示のある印刷物を書証として沢山提出したと言うだけである。従って、これらの多くの書証を以てしては、ＶＡＬＥＮＴＩＮＯ　ＧＡＲＡＶＡＮＩ或はＶＡＬＥＮＴＩＮＯの標章が著名であることを立証することはできない。
（３）本件審判請求を提起するに当って、審判請求人に審判請求の利益があることを明確にした主張立証がない。
　本件審判請求は、前記したとおり、権威のある審査官によって適法に権利として設定されて安定した本件商標を無効とする請求である。そうすると、本件審判請求は本件商標の法的安定性を覆す行為である。その請求をするには、それ相当な理由がなければならないはずである。これを明らかにするため、本件請求を行う正当な理由を明らかにされなければならない。
　本件審判請求書には、これが明らかにされていない。これが明らかにされない以上は本件審判請求をする利益がない。
（４）商標法第４条第１項第８号違反についての反論
（ア）審判請求人はＶＡＬＥＮＴＩＮＯ　ＧＡＲＡＶＡＮＩ（ヴァレンティノ・ガラバーニ）氏は著名なデザイナーであって同氏の顧客の中には、レオーネ・イタリア大統領夫人、グレース・モナコ王妃、エリザベス・テーラー、オードリー・ヘップバーンなどの著名人も多いとしている。（ａ）しかし、これら著名人を指すにしても、レオーネ・イタリア大統領夫人、グレース・モナコ王妃、エリザベス・テーラー、オードリー・ヘップバーンと表示し、或は指称するから、これら著名人を指すことがわかるが、これらの著名人を指すとき、これを単にレオーネ、グレース、エリザベス、オードリーと表示し、或は指称したときは、レオーネ、グレース、エリザベスと言う人は沢山いるので、前記著名人を単にレオーネ、グレース、エリザベスと言ったときは直ちにこれらの著名人を指したことにはならない。即ち、前記著名人のレオーネ、グレース、エリザベス、オードリーの表示、名称がレオーネ・イタリア大統領夫人、グレース・モナコ王妃、エリザベス・テーラー、オードリー・ヘップバーンの著名人の著名な略称と言うことはできない。
（イ）それと同じように、ＶＡＬＥＮＴＩＮＯの表示を以て直ちに著名人のＶＡＬＥＮＴＩＮＯ　ＧＡＲＡＶＡＮＩの著名な略称と言うことはできない。
（ウ）このＶＡＬＥＮＴＩＮＯの名称がイタリアの男子の名称としてよく使われる名称であることは乙第１号証に示す辞典に記載されている。また、ＶＡＬＥＮＴＩＮＯの表示が直ちにヴァレンティノ・ガラバー二氏の著名な略称とは言えないとの判断を示した甲第２、３、４号証に示す審決、異議決定がある。従って、ヴァレンティノの称呼、並びに表示を含む商標は、直ちに、イタリアの著名なデザイナーであるヴァレンティノ・ガラバー二氏を指すとは言えない。更に、ＶＡＬＥＮＴＩＮＯの綴りが直ちにＶＡＬＥＮＴＩＮＯ　ＧＡＲＡＶＡＮＩの略称と言えないことは後述する。
　よって、本件商標の登録には、ヴァレンティノ・ガラバー二氏の承諾が必要であり、この承諾を得ないで登録された本件商標は無効であるとの主張は失当である。
（５）商標法第４条第１項第１１号についての反論
（ア）本件商標のＶａｌｅｎｔｉｎｏ　Ｃｏｕｐｅａｕと引用商標のＶＡＬＥＮＴＩＮＯ　ＧＡＲＡＶＡＮＩの称呼は冗長なものではない。
（イ）因に、審判請求人がＶＡＬＥＮＴＩＮＯ　ＧＡＲＡＶＡＮＩの表示が世界の一流品のブランドであることを明らかにしようとするために提出したと思われる甲第１４、１５、１６、１７の各号証に示す「世界の一流品大図鑑」と称する文書には、ＶＡＬＥＮＴＩＮＯ　ＧＡＲＡＶＡＮＩ以外の一流品と称するブランド名が掲載されている。
　上記文書は、いずれも発行所を明らかにした文書ではなくＶＡＬＥＮＴＩＮＯ　ＧＡＲＡＶＡＮＩの著名性を立証できる文書ではないが、上記文書に一流品として掲載されたブランド名として甲第１３号証の２〜甲第１７号証の５には「ＶＡＬＥＮＴＩＮＯ　ＧＡＲＡＶＡＮＩ」以外に「アンドレ・コラン」（フランス）、「ミラー・グローブ」（イギリス）等が掲載されている。
　上記証拠に掲載されたＶＡＬＥＮＴＩＮＯ　ＧＡＲＡＶＡＮＩ以外の一流品のブランド名の使用者は、自己のブランド名は、取引者、需要者に冗長なブランド名であると言う感じを与えることがないと判断したことにより、これを無理に略称を以て表示したり、称呼する必要がないとして、その表示に当っては取引者、需要者に馴染まれている正規の表示、名称をそのまま使用しているのである。
（ウ）本件商標も、後記する商標の例に倣って、ヴァレンティノと略称されることなくヴァレンティノクーポと呼び、これが冗長であると言う感じを持ったり、或は持たれたりせず使われている。
（６）本件商標の構成について
　本件商標の構成は、ＶａｌｅｎｔｉｎｏとＣｏｕｐｅａｕを単純に二段に配した構成ではない。ＶａｌｅｎｔｉｎｏとＣｏｕｐｅａｕの綴りは、まず、同じような書体で綴られている。また、その綴りの大きさも同じような字配りで表示されている。さらに、そのＶａｌｅｎｔｉｎｏとＣｏｕｐｅａｕの配列は、ＶａｌｅｎｔｉｎｏとＣｏｕｐｅａｕの綴りを単純に上下二段に配列した構成としたものではなく、Ｖａｌｅｎｔｉｎｏの綴りの下に、Ｃｏｕｐｅａｕの綴りの書き出しがやや右寄りからずれて始まって、その書き終わりがやや右寄りにずれて終わるように配列されてデザイン化されている。即ち、本件商標は、ＶａｌｅｎｔｉｎｏとＣｏｕｐｅａｕとは、ＶａｌｅｎｔｉｎｏＣｏｕｐｅａｕと一連に表示する構成ではないが、ＶａｌｅｎｔｉｎｏとＣｏｕｐｅａｕが各別の綴りとして二段に配列された構成でなく、Ｃｏｕｐｅａｕの文字もＶａｌｅｎｔｉｎｏの文字とが一体となって目立つように連続して一連化されて認識されるような工夫を凝らした字配りで構成されており、ＶａｌｅｎｔｉｎｏとＣｏｕｐｅａｕのいずれか、どちらかが目立つような配列の仕方には構成されていない。従って、本件商標に取引者、需要者が接したときは、極く自然にヴァレンテイノクーポと称呼するよう読み取り、本件商標のＶａｌｅｎｔｉｎｏの文字（綴り）をＣｏｕｐｅａｕの文字（綴り）と切り離してＶａｌｅｎｔｉｎｏの文字（綴り）に注目するような構成とはなっていない。換言すれば、本件商標は、前記した構成そのものが一体として取引者、需要者に認識されるよう工夫を凝らした構成となっているもので、本件商標を構成するＶａｌｅｎｔｉｎｏの綴りが本件商標の要部をなすものとしてこれがＣｏｕｐｅａｕと離して目立つようには構成されているものではない。
　以上、観察したところから明らかなように、本件商標と引用商標とはまず、外観を異にするだけでなく、称呼を異にし、更に、同一人物を指すものでないところから観念を異にするものであることは明らかである。
（７）適法に登録処分を受けた本件商標について
　本件商標が登録された後、審判被請求人は本件商標の普及に積極的な営業活動の開始に着手している。そうすると、本件商標が取引者、需要者に知られることによって取引者、需要者に馴染まれ、本件商標の表示が冗長であるとか、称呼が冗長であるとかと言う感じはなくなるのは当然である。
（８）審判請求人は、本件商標のＶａｌｅｎｔｉｎｏ　Ｃｏｕｐｅａｕを構成する文字の中、本件商標のＶａｌｅｎｔｉｎｏの文字の称呼が引用商標のＶＡＬＥＮＴＩＮＯ　ＧＡＲＡＶＡＮＩの表示中のＶＡＬＥＮＴＩＮＯの文字の称呼と共通にすることを以て、両商標は同一性があるとしているが、これは誤りである。
（ア）イタリアではＶＡＬＥＮＴＩＮＯの綴りは男子の氏名によく使われていることは乙第１〜４号証に示すとおりである。また、ＶＡＬＥＮＴＩＮＯの綴りを用いた氏名を名乗る著名なイタリアのデザイナーに（ａ）ＶＩＮＣＥＮＺＯ・ＶＡＬＥＮＴＩＮＯ／ビンチェンツォ・ヴァレンティノ、（ｂ）ＭＡＲＩＯ・ＶＡＬＥＮＴＩＮＯ／マリオ・ヴァレンティノ、（ｃ）ＧＩＯＶＡＮＮＩ・ＶＡＬＥＮＴＩＮＯ／ジョバンニ・ヴァレンティノ、（ｄ）ＧＩＡＮＮＩ・ＶＡＬＥＮＴＩＮＯ／ジャンニ・ヴァレンティノ等がいる。上記した人々は親族である。
　上記したデザイナーの氏名がそれぞれ商標として登録されている。これらの登録商標の１例を乙第５号証の１〜４、乙第６号証の１〜４、乙第７号証の１〜４、乙第８号証の１〜４として提出する。
　上記商標なり、ブランド名を指称するとき、それぞれが冗長であるからと言って、ビンチェンツォと言ったり、マリオ、或は、ジョバンニ、ジャンニと略称したりはしない。また、上記商標をヴァレンティノとも略称しない。また、単にヴァレンティノと言ったときは取引上、上記商標を指さない。
　これらのデザイナーの氏名を表すＶＡＬＥＮＴＩＮＯの表示を用いた（ａ）〜（ｄ）に示す商標なりブランドが取引者、需要者によって引用商標なりヴァレンティノ・ガラバー二氏のブランドと取り違えられることはない。現に、前記した（ａ）〜（ｄ）の商標なりブランドはＶＡＬＥＮＴＩＮＯ　ＧＡＲＡＶＡＮＩの引用商標なりブランドと区別されて通用している。
（イ）それだけでなく、審判請求人が著名商標と言われているＶＡＬＥＮＴＩＮＯ　ＧＡＲＡＶＡＮＩの著名な略称であるとするＶＡＬＥＮＴＩＮＯの文字を用いた引用商標の他に著名として取り扱われている商標、ブランドはいくらでも使用されている。即ち、ＶＡＬＥＮＴＩＮＯ　ＧＡＲＡＶＡＮＩの略称であるとするＶＡＬＥＮＴＩＮＯの綴りを使用した著名商標は乙第９号証の１〜３、乙第１０号証の１〜３、乙第１１号証の１〜３、乙第１２号証の１〜３に示す商標がある。これらの商標はいずれも使用されている。その使用の態様としては自ら使用をしないで使用権を設定して使用されているものがある。その１例を乙第１３号証に示す。これらは、取引上、ヴァレンティノとは略称しない。また、単にヴァレンティノと言ったときは、取引上これらを指さない。
（ウ）審判請求人の理屈から言えば、これら乙第５〜１２号証に示す著名として扱われている商標も無効となると言うことになる。また、著名商標としてＣｈｒｉｓｔｉａｎ　Ｄｉｏｒ／クリスチャン　ディオールの氏名からなる乙第１４号証の１〜６に示す商標がある。その商標の中の略称であるＣｈｒｉｓｔｉａｎ／クリスチャンの綴りを使用した前記著名商標以外の著名商標に乙第１５号証の１〜７、乙第１６号証の１〜６、乙第１７号証の１〜３、並に、乙第１８号証の１〜６に示す商標がある。乙第１８号証の１〜６に示す商標は、乙第１５号証の１〜７に示す商標権者であるエス・アー・クリスチャン・オジャールから権利移転を受けた株式会社イトキン総本社が出願して登録になった商標である。これらの商標は前記商標と区別されて認識され使用されている。審判請求人の理屈から言えば、乙第１５、１６、１７号証に示す著名商標は勿論、乙第１８号証に示す著名商標も無効となる。
　更に、著名商標としてＰＩＥＲＲＥ　ＣＡＲＤＩＮ／ピエール・力ルダンの氏名から成る乙第１９号証に示す商標がある。その商標の中の略称であるＰＩＥＲＲＥ／ピエールの綴りを使用した前記著名商標以外の著名商標に乙第２０号証の１〜３に示す著名商標がある。これらの商標は前記商標と区別されて認識され使用されている。審判請求人の理屈から言えば、乙第２０号証の１〜３に列記する商標も無効となる。
　しかし、これらの登録商標に対して審判請求人が主張する前記理屈が通らないことは明らかである。そうすると、本件商標も審判請求人の主張する理由によっては無効となることはない。
　これらの商標は取引者、需要者に外観、称呼、観念はそれぞれ異なると認識され、その認識の下にそれぞれが親しまれており、冗長な商標として取り扱われてはいない。また、略称を以てしては取り扱われていない。
　本件商標も略称を以て取り扱われていない。よって審判請求人の主張は失当である。
（９）商標法第４条第１項第１５号についての反論
　本件商標と引用各商標とは外観、称呼、観念のいずれも相違することは既に説明したとおりである。
　また、ＶＡＬＥＮＴＩＮＯの文字を商標中の構成に取り入れている多数の商標が引用商標とは類似しないとして有効に登録されている点からしても本件商標を以て引用商標に類似すると言うのは誤りである。
　そうすると、本件商標を以て、直ちに商標法第４条第１項第１５号に該当すると言うことはできない。
　
５　当審の判断
（１）請求の利益の有無について
　請求人が本件審判請求をする利益の有無について当事者間に争いがあるので、先ずこの点について判断する。
　本件商標は、後に詳述するとおり、その構成中に請求人の使用に係る著名商標等を表す「ＶＡＬＥＮＴＩＮＯ」と綴り字を同じくする「Ｖａｌｅｎｔｉｎｏ」の文字を有するから、これを商標権者がその指定商品に使用した場合、請求人の業務に係る商品と混同を生ずるおそれがあるものである。
　したがって、請求人は、本件商標の登録を無効とする審判請求をすることについて、法律上の利害関係を有するというべきである。
（２）ＶＡＬＥＮＴＩＮＯ標章の著名性について
　本件審判請求の理由及び甲第７号証及び同第１３号証ないし同第５６号証（枝番号を含む。）を総合すると、以下の事実が認められる。
（ア）ヴァレンティノ　ガラヴァーニ（Ｖａｌｅｎｔｉｎｏ　Ｇａｒａｖａｎｉ）は、１９３２年イタリア国ボグヘラで誕生、１７才の時パリに行き、パリ洋裁学院でデザインの勉強を開始し、その後フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌などの新聞、雑誌に同氏の作品が掲載された。これ以来、同氏は、イタリア・ファッション界の第１人者となり、サンローランなどと並んで世界三大デザイナーとも呼ばれるようになった。そして、請求人は、ヴァレンティノ　ガラヴァーニのデザインに係る紳士服、婦人服等の商品を製造・販売していて、その商品に「ＶＡＬＥＮＴＩＮＯ　ＧＡＲＡＶＡＮＩ」「ＶＡＬＥＮＴＩＮＯ」の文字よりなる標章（以下、これらを「ＶＡＬＥＮＴＩＮＯ標章」という。）を使用している。
（イ）我が国においては、昭和４９年に「株式会社ヴァレンティノヴティックジャパン」が設立され、以来、ヴァレンティノ　ガラヴァーニのデザインに係る紳士服、婦人服等の商品が同社により輸入、販売されている。
（ウ）例えば、甲第７号証の４ないし３２は、主に昭和５１年９月〜同１１月にかけて発行された新聞等におけるヴァレンティノ　ガラヴァーニのデザインに係る紳士服、婦人服の紹介記事を抜粋したと認められるものであるが、その紹介記事の見出しに、「鮮やか黒いファッション　ヴァレンティノ秋冬ショー」（繊研新聞、昭和５１年９月２８日版）、「世界のＶＩＰ女性愛用のヴァレンティノ・コレクション発表」（日刊ゲンダイ、昭和５１年１０月２日版）、「伊の鬼才ヴァレンティノ　これが７６年秋冬の新作」（日経産業新聞、昭和５１年１０月６日版）との記載があり、また、「世界の一流品大図鑑’８５年版」（甲第１５号証）中の「ＶＡＬＥＮＴＩＮＯ　ＧＡＲＡＶＡＮＩ（ヴァレンティノ　ガラヴァーニ）」の標章が記載された項における紹介記事においては、「・・・魅惑的で優美な衣裳作りを心がけているというヴァレンティノ。（婦人服）」、「シーズン毎にカジュアルシューズも発表しているヴァレンティノですが、・・・（紳士靴）」との記載、同じく「男の一流品大図鑑’８５年版」（甲第１６号証）においては、「・・・オフタイムこそ、ヴァレンティノで洒落てみたい。（紳士用ベルト）」との記載、さらに、「２５ａｎｓ　１９８７年１０月号」（甲第２２号証）においても、「・・・ヴァレンティノの服は、このスカート丈とニット素材というカジュアル要素を持ちながらも、・・・」等の記載があるように、ＶＡＬＥＮＴＩＮＯ標章が「ＶＡＬＥＮＴＩＮＯ（ヴァレンティノ）」の商標と呼ばれ、そのデザイナーである「Ｖａｌｅｎｔｉｎｏ　Ｇａｒａｖａｎｉ」も「ＶＡＬＥＮＴＩＮＯ（ヴァレンティノ）」と呼ばれ、その名で知られていることを前提とした記事が多数掲載されている。
　以上の事実によれば、本件商標の登録出願時の平成７年６月頃には、ＶＡＬＥＮＴＩＮＯ標章は、「ＶＡＬＥＮＴＩＮＯ（ヴァレンティノ）」の商標として、また、デザイナーのヴァレンティノ　ガラヴァーニ（Ｖａｌｅｎｔｉｎｏ　Ｇａｒａｖａｎｉ）も「ＶＡＬＥＮＴＩＮＯ（ヴァレンティノ）」と呼ばれて、紳士服、婦人服、ベルト、靴等のファッション関連商品について、同人のデザインに係る商品に付される商標ないしは同人の略称として、取引者、需要者の間に広く認識されていたものということができる。そして、該「ＶＡＬＥＮＴＩＮＯ（ヴァレンティノ）」の著名性は、現在も継続していると認められるものである。
（２）出所の混同について
　本件商標は、別掲のとおり、「Ｖａｌｅｎｔｉｎｏ」の欧文字を横書し、前記「ｅ」の文字の下部を綴りの頭として「Ｃｏｕｐｅａｕ」の欧文字を横書した構成よりなるところ、全体として特定の熟語や氏名を表すものとして一般の取引者、需要者によく知られているというような事情はないこと、全体の構成文字数が１６文字であり、これより生ずる「バレンティノクーポ」の称呼も８音であって、その構成文字又は称呼のいずれよりみても、一つの名称としては比較的冗長であること及び「Ｃｏｕｐｅａｕ」の文字部分に比較して、上段に配され、しかも語頭の位置が三文字相当分左側に表されていることからすれば、ＶＡＬＥＮＴＩＮＯ（ヴァレンティノ）」の著名性と相俟って、「Ｖａｌｅｎｔｉｎｏ」の文字部分が取引者、需要者に強い印象を与えるものである。
　そして、前記（１）のとおり、本件商標の登録出願時には、既に、ＶＡＬＥＮＴＩＮＯ標章が「ＶＡＬＥＮＴＩＮＯ（ヴァレンティノ）」の商標と、また、ヴァレンティノ　ガラヴァーニ（Ｖａｌｅｎｔｉｎｏ　Ｇａｒａｖａｎｉ）が「ＶＡＬＥＮＴＩＮＯ（ヴァレンティノ）」とも呼ばれて、紳士服、婦人服、ベルト、靴等のファッション関連商品について、同人のデザインに係る商品に付される商標ないしは同人の略称として著名であったこと及びＶＡＬＥＮＴＩＮＯ標章が付される商品「紳士服、婦人服、ベルト、靴」等と本件商標の指定商品とは、いずれも、素材や色柄、デザインが重視される商品であるから、一人のデザイナーがいずれの商品のデザインにも関与することが十分予想され、この意味において高い関連性を有する商品であること等を併せ考慮すれば、本件商標は、その指定商品に使用するときは、これに接する取引者、需要者が、その構成中の上段に表された「Ｖａｌｅｎｔｉｎｏ」の文字部分を捕らえて、著名なＶＡＬＥＮＴＩＮＯ商標等を連想、想起し、それがヴァレンティノ　ガラヴァーニ又は同人と何らかの関係がある者の業務に係る商品であるかのように、その商品の出所について混同を生じさせるおそれがあるというのが相当である。
　また、この混同を生ずるおそれは、本件商標の登録出願時から現在においても継続しているものと解される。
（３）結論
　以上のとおり、本件商標の登録は、商標法第４条第１項第１５号に違反してされたというべきであるから、同法第４６条第１項の規定により、無効とすべきものである。
　よって、結論のとおり審決する。